(57)【要約】【課題】野球のバットに用いられる木材により外装部材を作製した筆記具を提供する。【解決手段】原木２３から７５ｍｍ角のバット用の原木材２４を切断し、残りの残材を１６ｍｍ角の角材２５に切断する。この角材２５を断面円形等に切削加工して胴、鞘、軸筒あるいはグリップといった筆記具の外装部材を作製する。従って、切削加工性が良く高精度の加工が行えるとともに、強靭で木目が美しく高級感がある筆記具の外装部材が得られる。【選択図】        図１
2005138287.tif 000002
【特許請求の範囲】
【請求項１】
野球のバットに用いられる木材により筆記具の外装部材の一部又は全部を作製したことを特徴とする筆記具。
【請求項２】
胴、鞘、軸筒あるいはグリップを外装部材としたことを特徴とする請求項１記載の筆記具。
【請求項３】
野球のバットに用いられる木材としてアオダモを用いたことを特徴とする請求項１又は２記載の筆記具。
【請求項４】
７５ｍｍ角のバット用の原木材を切断した残りの残材から外装部材を作製したことを特徴とする請求項１乃至３のいずれかに記載の筆記具。
【発明の詳細な説明】
【技術分野】
【０００１】
本発明は、野球のバットに用いられる木材で外装部材を作製した筆記具に関するものである。
【背景技術】
【０００２】
従来、胴と鞘の素材として木を用いた筆記具が知られている。（特許文献１参照）
【特許文献１】実公昭６１−７０９５号公報
【発明の開示】
【発明が解決しようとする課題】
【０００３】
解決しようとする課題は、木の素材を使用した筆記具は木目模様が表われ高級感が得られる利点はあるが、床に落としたり加工時に割れてしまう恐れがあった。
【課題を解決するための手段】
【０００４】
本発明は、野球のバットに用いられる木材により筆記具の外装部材を作製したことを第１の要旨とする。
【０００５】
また、外装部材が、胴、鞘、軸筒あるいはグリップにより構成したことを第２の要旨とする。
【０００６】
更に、野球のバットに用いられる木材をアオダモにより構成したことを第３の要旨とする。
【０００７】
更にまた、７５ｍｍ角のバット用の原木材を切断した残りの残材から外装部材を作製したことを第４の要旨とする。
【発明の効果】
【０００８】
本発明の筆記具は、外装部材を野球のバットに用いられる木材で作製することにより、靭性が高く衝撃にも強いために割れにくいという利点がある。更に、塗装すると、木材の道管の色が濃く染まって木目が浮き出し美しく仕上がる利点もある。
【発明を実施するための最良の形態】
【０００９】
筆記具の外装部材である胴、鞘あるいは軸筒を野球のバットに用いる木材で作製することにより、割れにくくしかも塗装することにより木目が美しく仕上がる筆記具を実現した。
【実施例１】
【００１０】
図１は、本発明の実施例１を示すもので、筆記具としてはノック式シャープペンシルで説明する。尚、図１の左側を前方とし、右側を後方とする。先ず、野球のバットに用いられるアオダモで軸筒１を構成する。この軸筒１の前部に金属製の連結具２を螺着する。
【００１１】
次に、機構部を説明すると、金属製のチャック３の頭部３Ａに金属製の締具４を外嵌し、チャック３の後部に合成樹脂パイプからなる芯タンク５を圧入固着する。締具４を受け止めるワッシャー６と芯タンク５の間にはスプリング７を張架し、通常チャック３は締具４に押し付けられて閉じられ芯８を強く保持している。
【００１２】
この機構部を軸筒１の前方から挿入し、ワッシャー６を口金９の内段９Ａと連結具２の前端により挾持する。また、口金９内には芯８を適度の力で保持する芯ホルダー１０が内蔵される。
【００１３】
軸筒１の後部には金属製の頭冠１１が螺着され、軸筒１の後端と頭冠１１の外段１１Ａによりクリップ１２の固定部１２Ａを挾持する。
【００１４】
更に、消しゴム支え１３の内側に消しゴム１４を取り付けるとともに外側にノブ１５を取り付ける。この消しゴム支え１３を軸筒１の後方より挿入し、消しゴム支え１３の前部を前記芯タンク５の後部外側に嵌合する。
【実施例２】
【００１５】
図２は、本発明の実施例２を示すもので、筆記具としては振出式シャープペンシルで説明する。先ず、野球のバットに用いられるアオダモで鞘１６を構成する。
【００１６】
次に、消しゴム支え１１３の内側に消しゴム１１４を取り付けるとともに外側にノブ１１５を取り付ける。この消しゴム支え１１３を鞘１６の前方から挿入する。更に、鞘１６の前部に金属製の金輪１７を螺着し、金輪１７の内段１７Ａと消しゴム支え１１３の間にリターンスプリング１８を張架する。
【００１７】
次に、前記金輪１７には合成樹脂製の胴１９の後部が着脱可能に螺合され、胴１９にはゴム製のグリップ２０が外嵌される。また、胴１９の内側には重量体２１が長手方向に摺動可能に内蔵される。
【００１８】
機構部は、先ず、チャック１０３の頭部１０３Ａに締具１０４を外嵌し、チャック１０３の後部に合成樹脂製のコネクター２２を圧入固着する。また、締具１０４を受け止めるワッシャー１０６とコネクター２２の間にはスプリング１０７が張架され、通常チャック１０３は締具１０４に押し付けられて閉じられ芯８を強く保持する。更に、コネクター２２の後部にパイプ材からなる芯タンク１０５を圧入固着する。
【００１９】
前記胴１９の前方から機構部を挿入し、重量体２１の内孔２１Ａに芯タンク１０５を挿通させる。次に、胴１９の前端と口金１０９の内段１０９Ａの間にワッシャー１０６を挾持する。また、口金１０９内に芯８を適度の力で保持する芯ホルダー１０が内蔵される。また、コネクター２２の外鍔２２Ａと前記消しゴム支え１１３の間を重量体２１が長手方向に摺動可能に構成される。
【００２０】
尚、バットに用いられる木材は、一般の木材と比較して、切削加工性が良く高精度の加工が得られるとともに強靭で木目が美しく、筆記具の外装部材に適している。
【００２１】
特に、アオダモは、年輪間隔が狭いので年輪模様が美しく表われ、胴、鞘、軸筒あるいはグリップといった断面円形の外装部材に用いた場合には、図３に示したように軸筒１０１の両側に木目が美しく表われ外観が向上するとともに高級感が得られる。
【００２２】
しかも、アオダモは、図４に示したように原木２３の周辺部分を断面が７５ｍｍ角に切断した原木材２４で野球のバットを作成するが、残りの残材は薪程度にしか利用できず、ほとんどのものは廃棄したり焼却して処分をしていた。従って、地球環境にとって非常にマイナスであった。本発明の筆記具の外装部材を作製する材料は、７５ｍｍ角の原木材２４を切断した残りの残材を１６ｍｍの角材２５に切断し、この角材２５を更に断面円形等に切削加工して外装部材を作製するので、地球環境にとっても好ましいが、特に原木材２４を切断した隣の部分は木目が美しく好ましい。
【００２３】
また、ホワイトアッシュやハードメープルも衝撃に強く木目が美しいので、高級感が得られるものである。
【００２４】
上記実施例は、いずれも筆記具としてシャープペンシルで説明したが、本発明の筆記具はシャープペンシルに限定されるものではなく、ボールペン、サインペンあるいは万年筆といった種々の筆記具に利用できるものである。
【００２５】
また、筆記具の外装部材としては、軸筒や鞘に限定されるものではなく、胴、金輪、グリップ、頭冠、ノブあるいは口金といった外部に露出している部材が対象となるものである。
【産業上の利用可能性】
【００２６】
筆記具の外装部材をバットに用いられる木材で作製することにより、木目が美しく高級感が得られるとともに、落としても割れる恐れがない。
【図面の簡単な説明】
【００２７】
【図１】本発明の実施例１を示す断面図である。（実施例１）
【図２】本発明の実施例２を示す断面図である。（実施例２）
【図３】本発明の軸筒に表われる木目を示す正面図である。
【図４】原木から原木材及び角材を切断する状態を示す説明図である。
【符号の説明】
【００２８】
１  軸筒
１６  鞘
１９  胴
２０  グリップ
２４  原木材
１０１  軸筒
【図１】
2005138287.tif 000003
【図２】
2005138287.tif 000004
【図３】
2005138287.tif 000005
【図４】
2005138287.tif 000006